(57)【要約】【課題】簡易な構造により捕獲した害虫の逃げ出しを防ぐことができる害虫捕獲器を提供すること。【解決手段】軟体動物を含む害虫Ｇを捕獲する害虫捕獲器１であって、２つの開口部２ａ，２ｂを有する筒状シート２と、一方の開口部２ａに挿入されて開口部が広げられた状態で筒状シート２が外側に被せられた枠部材３と、害虫の誘引剤Ｍが入れられ筒状シートの他方の開口部２ｂ側を収納する捕獲収納部４とを備え、枠部材が、その両側部から筒状シート内へ突出状態に設けられ他方の開口部を内側から互いに反対方向の外側へ張って張力を発生させた状態で他方の開口部を閉塞し弁として機能させる一対の張力発生部５を備えている。【選択図】図１
2013172660.tif 000002
【特許請求の範囲】
【請求項１】
軟体動物を含む害虫を捕獲する害虫捕獲器であって、
２つの開口部を有する筒状シートと、
一方の前記開口部に挿入されて前記開口部が広げられた状態で前記筒状シートが外側に被せられた枠部材と、
前記害虫の誘引剤が入れられ前記筒状シートの他方の前記開口部側を収納する捕獲収納部とを備え、
前記枠部材が、その両側部から前記筒状シートの内部又は外部へ突出状態に設けられ他方の前記開口部を内側又は外側から互いに反対方向の外側へ張って張力を発生させた状態で他方の前記開口部を閉塞し弁として機能させる一対の張力発生部を備えていることを特徴とする害虫捕獲器。
【請求項２】
請求項１に記載の害虫捕獲器において、
前記筒状シートの他方の前記開口部側が、先細り形状とされていることを特徴とする害虫捕獲器。
【請求項３】
請求項１又は２に記載の害虫捕獲器において、
前記張力発生部が、基端が前記枠部材に取り付けられていると共に先端側が前記筒状シート内に突出して延在した金属線部材であることを特徴とする害虫捕獲器。
【請求項４】
請求項１から３のいずれか一項に記載の害虫捕獲器において、
一対の前記張力発生部が、先端側に向けて互いの間隔が漸次広く形成されていることを特徴とする害虫捕獲器。
【請求項５】
請求項１から４のいずれか一項に記載の害虫捕獲器において、
前記捕獲収納部の少なくとも一部が、透明又は半透明であることを特徴とする害虫捕獲器。
【請求項６】
請求項１から５のいずれか一項に記載の害虫捕獲器において、
前記筒状シートが、透明又は半透明であり、
前記枠部材が、断面コ字状とされていることを特徴とする害虫捕獲器。
【請求項７】
請求項１から５のいずれか一項に記載の害虫捕獲器において、
前記枠部材が、筒状とされていることを特徴とする害虫捕獲器。
【発明の詳細な説明】
【技術分野】
【０００１】
本発明は、ナメクジ等の軟体動物を含む害虫を捕獲すると共に捕獲した害虫の逃避を防ぐことができる害虫捕獲器に関する。
【背景技術】
【０００２】
従来より、ナメクジ等の軟体動物を含む害虫の防除には誘引性薬殺剤を用いる方法が広く行われている。薬剤は、散布または多点施用で広範囲で効果が期待できるが、害虫を捕獲していないため、その効果が明瞭でない。また、誘引性薬殺剤を利用した捕獲器も広く使用されているが、捕獲機能は低く、主な目的は捕獲ではなく、薬剤が雨に触れることによる効能低下防止である。さらに、薬剤による薬殺ではなく、忌避（きひ）作用により被害の軽減を図る商品も市販されているが、薬殺剤同様、害虫を捕獲しないためその効能が明瞭でない。
【０００３】
上記の対策として、特許文献１から４に記載されている技術が提案されている。例えば、特許文献１では、誘引灯および誘引性薬殺剤ではなく、捕獲器に取り付けられているファンを用いて、捕獲した捕獲虫のフェロモンを拡散させることにより、害虫を誘惑（誘導）し、害虫を捕獲する捕獲器が提案されている。その捕獲器は、逆止弁機構を備えたロート状で、磁石等の自動閉塞手段を有する自動閉塞部により、捕獲した害虫の逃避を防ぐことができる。
【０００４】
また、特許文献２では、箱状であり、害虫などの小動物の逃げを阻止する部材（筒型シート）が侵入口付近に設けられた捕獲器が提案されている。その捕獲器は、阻止部材の一端を侵入口の周縁に固定し、阻止部材の他端部は捕獲器の内側に伸びて、その一部を捕獲器の底部に固定することにより、捕獲した害虫などの小動物の逃避を防ぐことができる。
【０００５】
また、特許文献３では、誘引性薬殺剤の代わりに餌（例えば、米ぬかまたは油カスなどに水を加えて練った物）を用いてナメクジ等の害虫を誘引する捕獲器が提案されている。その捕獲器は、捕獲器の内側へ突出し、先端に向かって口径のすぼまった、弾力性のフィルムから成るナメクジ侵入筒により、捕獲したナメクジの逃避を防ぐことができる。
【０００６】
さらに、特許文献４では、四角形の開口部を有する筒状の導入部に櫛葉状の切り込みを入れた２枚のプラスチックフィルムの逆走防止部材で作られる捕獲器が提案されている。この逆走防止部材は、相互の一端を接触させつつ傾斜して配置することにより構成され、逆走防止部材によって捕獲した害虫の逃避を防ぐことができる。
【先行技術文献】
【特許文献】
【０００７】
【特許文献１】実開平０６−０３３４７２号公報
【特許文献２】登録実用新案第３０４６４４９号公報
【特許文献３】特開２００１−１０３９００号公報
【特許文献４】特開２００４−２０８６７０号公報
【発明の概要】
【発明が解決しようとする課題】
【０００８】
上記従来技術において、以下の課題が残されている。
すなわち、従来の技術では、誘引性薬剤の代わりにフェロモンおよび餌などを用いて害虫を捕獲する捕獲器が提案されているが、その捕獲器の害虫逃避防止の構造は複雑になっており、部品点数、加工法などの要因も含めると、結果として高価になるおそれがある。
例えば、特許文献１に記載の技術では、モーターとファンと磁石とによる逆止弁機構を有する自動閉塞手段を用いており、高コストな装置となってしまう問題があった。
また、特許文献２に記載の技術では、筒型シートの先端中央のみが固定されており、複数の切り込みが形成されているため、捕獲した害虫が切り込み等を介して逃げ出し易いという不都合があった。同様に、特許文献３に記載の技術では、先端に向かって口径のすぼまったナメクジ侵入筒に弾力性のあるフィルムを用いており、丸く開口しているため、捕獲したナメクジが逃げてしまうおそれがあった。また、複数のスリットを形成したものではスリットを介して容易に開き易くなり、この場合も捕獲したナメクジが逃げてしまう。
さらに、特許文献４に記載の技術では、複数の切り込みをいれた２枚のプラスチックフィルムの相互の一端を接触させているため、やはり切り込み部分から害虫が逃げ出してしまう可能性があった。なお、剛性があり弾性の強いプラスチックフィルムを使用した場合、ナメクジ等の弱い力では侵入自体が困難であった。
【０００９】
本発明は、上記従来の問題に鑑みてなされたもので、簡易な構造により捕獲した害虫の逃げ出しを防ぐことができる害虫捕獲器を提供することを目的とする。
【課題を解決するための手段】
【００１０】
本発明は、前記課題を解決するために以下の構成を採用した。すなわち、第１の発明に係る害虫捕獲器は、軟体動物を含む害虫を捕獲する害虫捕獲器であって、２つの開口部を有する筒状シートと、一方の前記開口部に挿入されて前記開口部が広げられた状態で前記筒状シートが外側に被せられた枠部材と、前記害虫の誘引剤が入れられ前記筒状シートの他方の前記開口部側を収納する捕獲収納部とを備え、前記枠部材が、その両側部から前記筒状シートの内部又は外部へ突出状態に設けられ他方の前記開口部を内側又は外側から互いに反対方向の外側へ張って張力を発生させた状態で他方の前記開口部を閉塞し弁として機能させる一対の張力発生部を備えていることを特徴とする。
【００１１】
すなわち、この害虫捕獲器では、枠部材が、その両側部から筒状シートの内部又は外部へ突出状態に設けられ他方の開口部を内側又は外側から互いに反対方向の外側へ張って張力を発生させた状態で他方の前記開口部を閉塞し弁として機能させる一対の張力発生部を備えているので、筒状シートの開口部が張力発生部による張力でスリット状に閉じる逆止弁として機能する。すなわち、このスリット状の弁は、害虫の自重と前進する力とのどちらか一方またはその両方の作用により、侵入路となる筒状シートが開口し、害虫の侵入後、張力発生部の両端からの外方向に向かう力により、自動で再び弁が閉じた状態になる自動開閉機構となる。さらに、張力発生部によってスリット状に張られた開口部は、捕獲収納部内部に向かって薄く尖った形状となると共に切り込み等もないので、捕獲収納部内部側からは容易に弁を開くことができず、捕獲した害虫が逃避することを防ぐ機能を有する。このように、簡易な構造により捕獲した害虫が逆戻りすることを防止可能である。
【００１２】
第２の発明に係る害虫捕獲器は、第１の発明において、前記筒状シートの他方の前記開口部側が、先細り形状とされていることを特徴とする。
すなわち、この害虫捕獲器では、筒状シートの他方の開口部側が、先細り形状とされているので、張力発生部による張力が弱くても元々の開口部が狭いために容易に閉塞させることができると共に、先細りになっていない開口部に比べて、より強い張力で開口部を閉じることができる。
【００１３】
第３の発明に係る害虫捕獲器は、第１又は第２の発明において、前記張力発生部が、基端が前記枠部材に取り付けられていると共に先端側が前記筒状シート内に突出して延在した金属線部材であることを特徴とする。
すなわち、この害虫捕獲器では、張力発生部が、基端が枠部材に取り付けられていると共に先端側が筒状シートの内部又は外部に突出して延在した金属線部材であるので、金属線部材の弾性により容易に筒状シートの開口部を両外側に引っ張って閉じることができ、簡易な構造で適度な張力を発生させることが可能である。
【００１４】
第４の発明に係る害虫捕獲器は、第１から第３のいずれかの発明において、一対の前記張力発生部が、先端側に向けて互いの間隔が漸次広く形成されていることを特徴とする。
すなわち、この害虫捕獲器では、一対の張力発生部が、先端側に向けて互いの間隔が漸次広く形成されているので、一対の張力発生部の先端ほど両外側に向いて開くことから、先端側で強い張力を得ることができ、筒状シートの開口部をより強い張力で閉じることができる。
【００１５】
第５の発明に係る害虫捕獲器は、第１から第４のいずれか発明において、前記捕獲収納部の少なくとも一部が、透明又は半透明であることを特徴とする。
すなわち、この害虫捕獲器では、捕獲収納部の少なくとも一部が、透明又は半透明であるので、目視で外部から透明又は半透明の部分を介して内部の捕獲状態を容易に確認をすることができる。
【００１６】
第６の発明に係る害虫捕獲器は、第１から第５のいずれかの発明において、前記筒状シートが、透明又は半透明であり、前記枠部材が、断面コ字状とされていることを特徴とする。
すなわち、この害虫捕獲器では、枠部材が断面コ字状とされているので、透明又は半透明の筒状シートを被せた状態で枠部材の上部から内部を確認することができる。
【００１７】
第７の発明に係る害虫捕獲器は、第１から第５のいずれかの発明において、前記枠部材が、筒状とされていることを特徴とする。
すなわち、この害虫捕獲器では、枠部材が筒状とされているので、剛性が高く、害虫の侵入口である筒状シートの一方の開口部を確実に広く開口させることができる。
【発明の効果】
【００１８】
本発明によれば、以下の効果を奏する。
すなわち、本発明の害虫捕獲器によれば、枠部材が、その両側部から筒状シートの内部又は外部へ突出状態に設けられ他方の開口部を内側又は外側から互いに反対方向の外側へ張って張力を発生させた状態で他方の前記開口部を閉塞し弁として機能させる一対の張力発生部を備えているので、簡易な構造で害虫を捕獲し易く、さらに捕獲した害虫が逃し難い機構となっている。したがって、低コストに作製可能であり、ナメクジ等の害虫を捕獲したまま逃走を防止して、誘引剤の効能等を確認することも可能になる。
【図面の簡単な説明】
【００１９】
【図１】本発明に係る害虫捕獲器の第１実施形態を示す斜視図である。
【図２】第１実施形態において、筒状シートを外した弁部材を示す斜視図である。
【図３】第１実施形態において、平坦に畳んだ状態と開口部を広げた状態との筒状シートを示す斜視図である。
【図４】第１実施形態において、害虫の侵入時の様子を示す破断した害虫捕獲器を示す斜視図である。
【図５】本発明に係る害虫捕獲器の第２実施形態を示す斜視図である。
【図６】第２実施形態において、害虫捕獲器を示す分解斜視図である。
【図７】本発明に係る害虫捕獲器の第３実施形態において、筒状シートを外した弁部材及び筒状シートを取り付けた弁部材を示す斜視図である。
【図８】本発明に係る害虫捕獲器の第４実施形態において、筒状シートを外した弁部材及び筒状シートを取り付けた弁部材を示す斜視図である。
【図９】本発明に係る害虫捕獲器の第５実施形態において、筒状シートを外した弁部材及び筒状シートを取り付けた弁部材を示す斜視図である。
【図１０】第５実施形態において、筒状シートを示す斜視図である。
【図１１】本発明に係る害虫捕獲器の第６実施形態において、筒状シートを外した弁部材及び筒状シートを取り付けた弁部材を示す斜視図である。
【発明を実施するための形態】
【００２０】
以下、本発明に係る害虫捕獲器の第１実施形態を、図１から４に基づいて説明する。
【００２１】
第１実施形態の害虫捕獲器１は、図１から図３に示すように、軟体動物を含む害虫Ｇを捕獲する害虫捕獲器であって、２つの開口部２ａ，２ｂを有する筒状シート２と、一方の開口部２ａに挿入されて開口部２ａが広げられた状態で筒状シート２が外側に被せられた枠部材３と、害虫Ｇの誘引剤Ｍが入れられ筒状シート２の他方の開口部２ｂ側を収納する捕獲収納部４とを備えている。
なお、上記枠部材３と筒状シート２とで、弁部材７を構成している。
上記害虫Ｇとしては、例えばナメクジ等の軟体動物だけでなく、ゴキブリ等の虫やネズミ等の小動物も含まれ、捕獲対象に応じた大きさの害虫捕獲器としている。
【００２２】
上記筒状シート２は、薄く柔軟性・可撓性があるシート状又はフィルム状の素材であり、伸張性を有することが好ましい。この筒状シート２は、図２に示すように、例えば透明又は半透明なビニールシートで筒状に形成されている。また、この筒状シート２は、その他方の開口部２ｂ側が先細り形状とされている。
【００２３】
上記捕獲収納部４は、例えば透明又は半透明なビニール袋である。なお、この捕獲収納部４と筒状シート２とは、捕獲収納部４の開口部近傍でヒートシール等で互いに接着して一体化しても構わない。
また、捕獲収納部４の内部に入れられる誘引剤Ｍとしては、その匂いによって害虫Ｇを誘引するものであって、例えば市販されている誘引性の薬剤、誘殺剤のほか、誘引性のある餌（例えば、野菜くず、ペットフードなど）等が用いられる。
この捕獲収納部４は、開口部分が枠部材３の外周に密着状態で取り付けられている。
【００２４】
上記枠部材３は、図１及び図３に示すように、その両側部から筒状シート２内へ突出状態に設けられ他方の開口部２ｂを内側から互いに反対方向の外側へ張って張力を発生させた状態で他方の開口部２ｂを閉塞し弁として機能させる一対の張力発生部５を備えている。
この枠部材３は、断面コ字状とされ、両側の内壁面から一対の張力発生部５が突き出している。また、枠部材３は、プラスチック板やＳＵＳ等の金属板等で形成されている。
【００２５】
一対の張力発生部５は、基端５ｂが枠部材３に取り付けられていると共に先端５ａ側が筒状シート２内に突出して延在した金属線部材である。この金属線部材としては、ピアノ線や針金等が採用可能である。なお、金属線部材の材料や太さ、一対の張力発生部５の間隔等を変更することで、筒状シート２の他方の開口部２ｂに加える張力を調整することができる。
これら張力発生部５の基端５ｂは、例えばＵ字状に曲げられて接着剤等により枠部材３に固定されている。また、張力発生部５の先端５ａは、筒状シート２内に挿入し易くするために、内側に向けて屈曲されている。
【００２６】
次に、本実施形態の害虫捕獲器１による害虫Ｇの捕獲について、図４を参照して説明する。
【００２７】
まず、害虫Ｇが、図４に示すように、餌などの誘引剤Ｍの匂いによって誘引され、一方の開口部２ａから枠部材３内に侵入する。さらに、害虫Ｇが、張力発生部５の張力によってスリット状に閉じた状態の他方の開口部２ｂを内側から押し広げながら進行するようにして、捕獲収納部４内に入り込む。このとき、他方の開口部２ｂは、害虫Ｇの大きさに応じて開口する。したがって、害虫Ｇは、他方の開口部２ｂの最大開口面積以内であれば、ある程度、大きさにかかわらず容易に侵入することができる。
【００２８】
捕獲収納部４内に害虫Ｇが完全に入り込むと、他方の開口部２ｂは、再び張力発生部５の張力により自動的に閉じられる。このため、害虫Ｇが再び閉じられた他方の開口部２ｂを外部から開けて逃げ出そうとしても、張力発生部５の張力により他方の開口部２ｂが尖った状態で閉じられており、容易に開けることができない。すなわち、侵入時において害虫Ｇの進行力により内側から他方の開口部２ｂを開けることは容易でも、逆戻りする場合、害虫の進行力だけでは外側から他方の開口部２ｂを開けることが困難である。
【００２９】
したがって、一旦、侵入した害虫Ｇは、逆走・逃避ができず、そのまま捕獲収納部４内に捕獲されたまま留まることになる。なお、誘引剤Ｍに誘殺剤等の薬剤を使用しなければ、捕獲した害虫Ｇはしばらく死なずに腐敗もしない。また、薬剤を使用しても外部に飛散せず、取り扱い性がよい。また、弁部材７から捕獲収納部４を容易に取り外し可能に取り付ければ、害虫Ｇを捕獲した捕獲収納部４だけを取り外して容易に廃棄できると共に、再装填も容易になり、さらに捕獲収納部４のみを取り換えて使用できるため、安価に用いることもできる。
【００３０】
また、筒状シート２の他方の開口部２ｂ側は、底面が上り傾斜となるため、侵入口の一方の開口部２ａに対して高低差が生じることから、一方の開口部２ａの底部を害虫Ｇが徘徊する地面と同じ高さに設定しても、捕獲収納部４内への雨水等の浸水を防ぐことができる。
【００３１】
このように本実施形態の害虫捕獲器１では、枠部材３が、その両側部から筒状シート２内へ突出状態に設けられ他方の開口部２ｂを内側から互いに反対方向の外側へ張って張力を発生させた状態で他方の開口部２ｂを閉塞し弁として機能させる一対の張力発生部５を備えているので、筒状シート２の開口部２ｂが張力発生部５による張力でスリット状に閉じる逆止弁として機能する。
【００３２】
すなわち、このスリット状の弁は、害虫Ｇの自重と前進する力とのどちらか一方またはその両方の作用により、侵入路となる筒状シート２が開口し、害虫Ｇの侵入後、張力発生部５の両端からの外方向に向かう力により、自動で再び弁が閉じた状態になる自動開閉機構となる。さらに、張力発生部５によってスリット状に張られた開口部２ｂは、捕獲収納部４内部に向かって薄く尖った形状となると共に切り込み等もないので、捕獲収納部４内部側からは容易に弁を開くことができず、捕獲した害虫Ｇが逃避することを防ぐ機能を有する。このように、簡易な構造により捕獲した害虫Ｇが逆戻りすることを防止可能である。
また、捕獲した害虫Ｇの処理が容易になると共に、少々の雨などにも水が浸入し難く捕獲収納部４内に雨水が溜まることを防ぐことができる。
【００３３】
また、筒状シート２の他方の開口部２ｂ側が、先細り形状とされているので、張力発生部５による張力が弱くても元々の開口部２ｂが狭いために容易に閉塞させることができると共に、先細りになっていない開口部に比べて、より強い張力で開口部２ｂを閉じることができる。
さらに、張力発生部５が、基端が枠部材３に取り付けられていると共に先端側が筒状シート２内に突出して延在した金属線部材であるので、金属線部材の弾性により容易に筒状シート２の開口部２ｂを両外側に引っ張って閉じることができ、簡易な構造で適度な張力を発生させることが可能である。
【００３４】
また、捕獲収納部４の少なくとも一部が、透明又は半透明であるので、目視で外部から透明又は半透明の部分を介して内部の捕獲状態を容易に確認をすることができる。特に、本実施形態では、枠部材３が断面コ字状とされているので、透明又は半透明な筒状シート２を被せた状態で枠部材３の上部から内部を確認することができる。
【００３５】
次に、本発明に係る害虫捕獲器の第２から第６実施形態について、図５から図１１を参照して以下に説明する。なお、以下の各実施形態の説明において、上記実施形態において説明した同一の構成要素には同一の符号を付し、その説明は省略する。
【００３６】
第２実施形態と第１実施形態との異なる点は、第１実施形態が、弁部材７が一つの害虫捕獲器であるのに対し、第２実施形態の害虫捕獲器２１は、図５に示すように、４つの弁部材７を備えている点である。
すなわち、第２実施形態の害虫捕獲器２１は、平面視８角形状の捕獲収納部２４を備え、該捕獲収納部２４の外周面に４つの弁部材７が取り付けられている。
【００３７】
上記捕獲収納部２４は、上下に設置された収納下部２４Ａと収納上部２４Ｂとで構成され、これらの間に誘引剤Ｍを設置して害虫Ｇを捕獲する収納空間が形成されている。なお、捕獲収納部２４は、全部又は一部を透明又は半透明な素材で構成しても構わない。
上記４つの弁部材７は、四方に侵入口である一方の開口部２ａを向けて設置されている。
したがって、第２実施形態の害虫捕獲器２１では、複数の弁部材７が別々の方向に侵入口となる一方の開口部２ａを向けて設置されているので、多様な方向からの害虫Ｇの侵入が可能になる。
【００３８】
次に、第３実施形態と第１実施形態との異なる点は、第１実施形態では、枠部材３が低背な断面コ字状の部材であったのに対し、第３実施形態の害虫捕獲器では、図７に示すように、第１実施形態よりも背の高い断面コ字状の枠部材３３により、侵入口である一方の開口部２ａが大きく開口されている点である。
したがって、第３実施形態の害虫捕獲器では、第１実施形態に比べて害虫Ｇの進入路を大きく設定することができる。これにより、ナメクジやゴキブリ等の低背又は扁平な害虫Ｇだけでなく、ネズミ等の比較的大きな小動物も捕獲することが可能になる。
【００３９】
次に、第４実施形態と第３実施形態との異なる点は、第３実施形態では、断面コ字状の枠部材３３を用いているのに対し、第４実施形態の害虫捕獲器では、図８に示すように、円筒状の枠部材４３を備えている点である。すなわち、第４実施形態では、侵入口となる一方の開口部２ａが円形状に大きく開口すると共に、全周にわたって筒状シート２の一方の開口部２ａが枠部材４３により支持される。
したがって、第４実施形態の害虫捕獲器では、枠部材４３が筒状とされているので、剛性が高く、害虫Ｇの侵入口である筒状シート２の一方の開口部２ａを確実に広く開口させることができる。
【００４０】
次に、第５及び第６実施形態と第３実施形態との異なる点は、第３実施形態では、一対の張力発生部５が直線状に真っ直ぐ延在した金属線部材であるのに対し、第５及び第６実施形態の害虫捕獲器では、図１１及び図１２に示すように、一対の張力発生部５５が、先端側に向けて互いの間隔が漸次広く形成されている金属線部材とされている点である。また、第５及び第６実施形態では、筒状シート５２が、先細り形状でなく、同一幅である寸胴の筒状である点も第１実施形態と相違している。
【００４１】
すなわち、第５及び第６実施形態では、一対の張力発生部５５が、途中で屈曲し、枠部材３３，４３から突出した部分の基端から互いに反対の外側に向けて漸次広がりながら延在しているため、筒状シート５２の他方の開口部５２ｂが第３実施形態よりも両外側に強く引っ張られて閉じられている。
【００４２】
したがって、第５及び第６実施形態の害虫捕獲器では、一対の張力発生部５５が、先端側に向けて互いの間隔が漸次広く形成されているので、一対の張力発生部５５の先端ほど両外側に向いて開くことから、先端側で強い張力を得ることができ、筒状シート５２の開口部５２ｂをより強い張力で閉じることができる。また、筒状シート５２の他方の開口部５２ｂが先細り形状でなくても、強い張力で閉じることが可能になる。
【００４３】
なお、本発明は上記各実施形態に限定されるものではなく、本発明の趣旨を逸脱しない範囲において種々の変更を加えることが可能である。
【００４４】
例えば、上記各実施形態では、一対の張力発生部が、筒状シートの内部へ突出状態に設けられ他方の開口部を内側から互いに反対方向の外側へ張って張力を発生させた状態で他方の開口部を閉塞し弁として機能させているが、筒状シートの外部へ突出状態に設けられ他方の開口部を外側から互いに反対方向の外側へ張って張力を発生させた状態で他方の開口部を閉塞し弁として機能させても構わない。例えば、枠部材の外側の両側部に一対の張力発生部を設け、枠部材に被せられた筒状シートの外側に突出するようにピアノ線等の一対の張力発生部を枠部材から突出させ、さらに張力発生部の先端部に、筒状シートの他方の開口部における両端部分を摘むように挟んで互いに反対方向の外側へ張って張力を発生させる挟み部を設けてもよい。
【符号の説明】
【００４５】
１，２１…害虫捕獲器、２，５２…筒状シート、２ａ，５２ａ…筒状シートの一方の開口部、２ｂ，５２ｂ…筒状シートの他方の開口部、３，３３，４３…枠部材、４，２４…捕獲収納部、５，５５…張力発生部、Ｇ…害虫、Ｍ…誘引剤
【図１】
2013172660.tif 000003
【図２】
2013172660.tif 000004
【図３】
2013172660.tif 000005
【図４】
2013172660.tif 000006
【図５】
2013172660.tif 000007
【図６】
2013172660.tif 000008
【図７】
2013172660.tif 000009
【図８】
2013172660.tif 000010
【図９】
2013172660.tif 000011
【図１０】
2013172660.tif 000012
【図１１】
2013172660.tif 000013